(57)【特許請求の範囲】
【請求項１】
加熱機器の上下に設置され冷却用空気が出入りするグリルと、前記グリルに設けた溝部と、前記溝部に設けられ前記グリルを壁面に固定する取付け穴と、前記グリルの左右に設置するカバーと、前記溝部に当接する前記カバーの上下フランジ部と、前記取付け穴に対応し前記フランジ部に設けられた第１の接合穴と、前記取付け穴と前記第１の接合穴を重ねて壁面に固定する固定ネジとを備えてなる加熱機器用壁面埋め込み装置において、前記フランジ部の第１の接合穴は、前記溝部に前記取付け穴とは異なる位置に設けられた第１の継合穴に対応し、前記フランジ部の第１の接合穴と前記第１の継合穴はリベットにて結合され、前記グリルと前記カバーを接合固着してなる加熱機器用壁面埋め込み装置。
【請求項２】
前記フランジ部の接合穴を２個設け、第一の接合穴と第二の接合穴は左右のカバーの設置中心線から異なる距離に設けられてなる請求項１に記載の加熱機器用壁面埋め込み装置。
【発明の詳細な説明】
【０００１】
【発明の属する技術分野】
本発明は、電子レンジ用トリムキットなどの加熱機器用壁面埋め込み装置に関するものである。
【０００２】
【従来の技術】
従来、この種の加熱機器用壁面埋め込み装置としては、例えば、特開平１１−０３０４２４号公報に記載されているようなものがあった。図４は、前記公報に記載された従来の加熱機器用壁面埋め込み装置を示すものである。図５は、前記公報に記載された従来の加熱機器用壁面埋め込み装置の要部斜視図である。
【０００３】
図４において、１はグリル、２は加熱装置、４はグリルの溝部、５は固定部、６はカバーである。
【０００４】
図５において、１はグリル、４はグリルの溝部、５は固定部、６はカバー、７は保持部、８はドライバ、９は板バネ、１０はカバーに設けた角穴である。
【０００５】
【発明が解決しようとする課題】
しかしながら、前記従来の構成では、カバー６を取り外す際、ドライバ８などの先端をカバー６の端面に差し込んでこじ開けることにより、保持部７のつめからカバー６を取り外すので、カバー６がドライバ８や保持部７のつめによって変形したり破損するという課題を有していた。
【０００６】
また、カバー６を取り付ける際にも、保持部７のつめにカバー６が当たり変形したり破損するという課題を有していた。
【０００７】
この課題は、カバー６が樹脂成型品であってもステンレス鋼のような金属製品であっても同様である。
【０００８】
本発明は、前記従来の課題を解決するもので、簡単な構成で、取り付け時や取り外し時のカバーの変形や破損を防ぎ、かつ設置性を向上した加熱機器用壁面埋め込み装置を提供することを目的とする。
【０００９】
【課題を解決するための手段】
前記従来の課題を解決するために、本発明の加熱機器用壁面埋め込み装置は、加熱機器の上下に設置され冷却用空気が出入りするグリルと、グリルに設けた溝部と、溝部に設けられグリルを壁面に固定する取付け穴と、グリルの左右に設置するカバーと、溝部に当接するカバーの上下フランジ部と、取付け穴に対応しフランジ部に設けられた第１の接合穴と、取付け穴と第１の接合穴を重ねて壁面に固定する固定ネジとを備えたものである。
【００１０】
これによって、加熱機器用壁面埋め込み装置を取り付けたり取り外す場合でも、固定ネジを脱着するだけでグリルとカバーを壁面から脱着でき、さらにカバーと保持部がバネ性によって固着されていないので、ドライバなどでこじ開けたり圧入する必要がなく、脱着する際に保持部やドライバーの先端などでカバーが変形したり破損するのを防ぎ、設置性を向上することが出来る。
【００１１】
【発明の実施の形態】
本願発明は、加熱機器の上下に設置され冷却用空気が出入りするグリルと、前記グリルに設けた溝部と、前記溝部に設けられ前記グリルを壁面に固定する取付け穴と、前記グリルの左右に設置するカバーと、前記溝部に当接する前記カバーの上下フランジ部と、前記取付け穴に対応し前記フランジ部に設けられた第１の接合穴と、前記取付け穴と前記第１の接合穴を重ねて壁面に固定する固定ネジとを備え、フランジ部の第１の接合穴を、溝部の取付け穴とは異なる位置に設けられた第１の継合穴に対応し、フランジ部の第１の接合穴と第１の継合穴をリベットにて結合するることにより、カバーとグリルが固定ネジで壁面に固定されることになり、加熱機器用壁面埋め込み装置を取り付けたり取り外す場合に、ドライバなどでカバーをこじ開けたり圧入する必要がないので、カバーが変形したり破損するのを防止することができ、またグリルとカバーが一体構造となり、カバーの変形や破損が生じることなく、容易に加熱機器用壁面埋め込み装置の設置および取り外しをすることができる。
【００１２】
また、フランジ部の接合穴を２個設け、第一の接合穴と第二の接合穴を左右のカバーの設置中心線から異なる距離に設けることにより、上下のグリルと左右のカバーが、結合後も相互にねじれたり撓むことなく強固になるので、加熱機器用壁面埋め込み装置の設置性と美観を向上することができる。
【００１３】
【実施例】
以下本発明の実施例について、図面を参照しながら説明する。
【００１４】
（実施例１）
図１は、本発明の第１の実施例における加熱機器用壁面埋め込み装置の要部組み立て構成斜視図を示すものである。
【００１５】
図１において、１２はグリル１の溝部４に設けた取付け穴であり、カバー６のフランジ部１３に設けた第１の接合穴１４に重ねて、固定ネジ１９により、グリル１とカバー６を壁面に固定することにより、加熱機器用壁面埋め込み装置を構成している。
【００１６】
以上のように構成された加熱機器用壁面埋め込み装置について、以下にその動作、作用を説明する。
【００１７】
まず、グリル１の溝部４に設けた取り付け１２穴と、カバー６のフランジ部１３に設けた第１の接合穴１４を重ね、その両方の穴を固定ネジ１９で締め付けると、グリル１とカバー６を壁面に同時に固定することができる。グリル１とカバー６を取り外す場合でも、固定ネジ１９を外すと同時に取り外しが出来て、ドライバなどでこじ開けりる必要がないので、カバーが変形したり破損するのを防止することになる。
【００１８】
以上のように、本実施例においては、グリル１の溝部４に設けた取付け穴１２と、カバー６のフランジ部１３に設けた第１の接合穴１４を重ね、固定ネジ１９でグリル１とカバー６を壁面に固定させる構成とすることにより、カバー６を脱着する場合に、ドライバなどでこじ開けたり圧入する必要がないので、カバ６ーが変形したり破損するのを防止することができる。
【００１９】
また、本実施例の固定ネジ１９の表面色調を、溝部４の色調と同系色の表面処理をすることにより、特に、設置後の固定ネジがグリルのデザインと調和することとなり、美観を向上することができる。
【００２０】
（実施例２）
図２は、本発明の第２の実施例の加熱機器用壁面埋め込み装置の要部組み立て構成斜視図である。図２において、１７は、前記溝部４に取付け穴１２とは異なる位置に設けられた第１の継合穴で、実施例１の構成と異なるところはフランジ部１３に設けた第１の接合穴１４を溝部４に設けた第１の継合穴１７に対応させ、第１の接合穴１４と第１の継合穴１７をリベット２０にて結合した点である。なお、実施例１と同一符号のものは同一構造を有し、説明は省略する。
【００２１】
まず、フランジ部１３に設けた第１の接合穴１４と、溝部４の第１の継合穴１７をリベット２０にて結合すると、グリル１とカバー６は壁面に設置するより前に一体化される。このことにより、加熱機器用壁面埋め込み装置を設置する場合にも、取り外す場合でも、グリル１とカバー６がバラバラにならないので保持しやすく、落として傷つけたり、破損することがなくなり、加熱機器用壁面埋め込み装置の設置性と美観を向上することができる。
【００２２】
以上のように、本実施例に置いてはフランジ部１３に設けた第１の接合穴１４と、溝部４の第１の継合穴１７をリベット２０にて結合することにより、グリル１とカバー６が壁面に設置するより前に一体化されバラバラにならないので保持しやすく、落として傷つけたり、破損することがなくなり、加熱機器用壁面埋め込み装置の設置性と美観を向上することができる。
【００２３】
（実施例３）
図３は、本発明の第３の実施例の加熱機器用壁面埋め込み装置の要部組み立て構成斜視図である。図３において、１８は、前記溝部４に取付け穴１２および第１の継合穴１７とは異なる位置に設けられた第２の継合穴で、実施例２の構成と異なるところはフランジ部１３に設けた第１の接合穴１４を溝部４の第１の継合穴１７に、フランジ部１３に設けた第２の接合穴１５を溝部４の第２の継合穴１８にそれぞれ対応させ、リベット２０にて結合した点である。第一の接合穴と第二の接合穴は左右のカバーの設置中心線から異なる距離（ａ＜ｂ）に設けられている。実施例２と同一符号のものは同一構造を有し、説明は省略する。
【００２４】
まず、フランジ部１３に設けた第１の接合穴１４と、溝部４の第１の継合穴１７をリベット２０にて結合し、さらに、フランジ部１３に設けた第２の接合穴１５と、溝部４の第２の継合穴１８をリベット２０にて結合すると、グリル１とカバー６をねじる応力が加わっても相互のズレは生じない、このことにより、グリル１とカバー６がねじれて取り付けられることがなくなり、加熱機器用壁面埋め込み装置の設置性と美観を向上することができる。
【００２５】
以上のように、本実施例に置いてはフランジ部１３に設けた第１の接合穴１４と、溝部４の第１の継合穴１７をリベットにて結合し、さらに、フランジ部１３に設けた第２の接合穴１５と、溝部４の第２の継合穴１８をリベット２０にて結合することにより、グリル１とカバー６をねじる応力が加わっても相互のズレは生じず、グリル１とカバー６がねじれて取り付けられることがなくなり、加熱機器用壁面埋め込み装置の設置性と美観を向上することができる。
【００２６】
【発明の効果】
以上のように、本願発明によれば、加熱機器用壁面埋め込み装置の設置性を向上と、さらに設置した後の美観を向上することができる。
【図面の簡単な説明】
【図１】  本発明の実施例１における加熱機器用壁面埋め込み装置の要部組み立て構成斜視図
【図２】  本発明の実施例２における加熱機器用壁面埋め込み装置の要組み立て構成部斜視図
【図３】  本発明の実施例３における加熱機器用壁面埋め込み装置の要部組み立て構成斜視図
【図４】  従来の加熱機器用壁面埋め込み装置の概観斜視図
【図５】  従来の加熱機器用壁面埋め込み装置の要部斜視図
【符号の説明】
１  グリル
２  加熱装置
４  グリルの溝部
６  カバー
１２  取付け穴
１３  フランジ部
１４  第１の接合穴
１５  第２の接合穴
１７  第１の継合穴
１８  第２の継合穴
１９  固定ネジ
２０  リベット
【図１】
0003931643.tif 000002
【図２】
0003931643.tif 000003
【図３】
0003931643.tif 000004
【図４】
0003931643.tif 000005
【図５】
0003931643.tif 000006